(57)【要約】【課題】熟練した作業者でなくとも容易且つ確実に接続作業ができ、特に浴室の床下配管などにおける、排水トラップと排水エルボの、軸方向視楕円や長方形または扁平形状の枝管配管部に用いられる接続構造を提供する。【解決手段】周面に外向きフランジ及び複数の開口部を設けた接続管、前記接続管外周にスライド可能に装着され、内周面に内向きフランジ及び突起部を備えたスライド管、前記接続管の外側と前記スライド管の内側に位置し、可撓性を備えた支軸及び先端係合部から成る係合爪、前記接続管の外向きフランジとスライド管の内向きフランジとの間に圧入される弾性体、から成る係合部と、外周面に周刻された溝部、外周面に装着されたシール部材、から成る被係合部と、から構成される管体の接続構造において、係合部及び被係合部及び接続される管体が軸方向視において正円形状以外の形状とした。【選択図】  図２
2004225243.tif 000002
【特許請求の範囲】
【請求項１】
周面に外向きフランジ（２）及び複数の開口部（３）を設けた接続管（１）、
前記接続管（１）外周にスライド可能に装着され、内周面に内向きフランジ（５）及び突起部（６）を備えたスライド管（４）、
前記接続管（１）の外側と前記スライド管（４）の内側に配置されるとともに、可撓性を備えた支軸（８）及び支軸（８）の先端に膨出されて設けられた先端係合部（９）から成り、且つ先端係合部（９）が前記開口部（３）に対応する位置であって、常に反開口部（３）側に付勢され、先端係合部（９）が前記スライド管（４）の突起部（６）に当接された際は開口部（３）を介して接続管（１）内側面に突出する係合爪（７）、
前記接続管（１）の外向きフランジ（２）とスライド管（４）の内向きフランジ（５）との間に圧入され、常に突起部（６）が先端係合部（９）に当接する方向に接続管（１）とスライド管（４）を付勢する弾性体、
から成る係合部（１１）と、
外周面に周刻された溝部（１２）、
外周面に装着されたシール部材、
から成る被係合部（１４）と、
から構成される管体の接続構造において、
係合部（１１）及び被係合部（１４）及び接続される管体が軸方向視において正円形状以外の形状であることを特徴とする接続構造。
【請求項２】
前記接続構造を、
床下空間に配置される、封水部を有した排水トラップ（１９）と、
該排水トラップ（１９）の封水部に連通され、トラップ機能を付与される排水装置との接続箇所に用いたことを特徴とする請求項１に記載の接続構造。
【請求項３】
前記接続構造を、
キャビネット空間に配置される、封水部を有した排水トラップ（１９）と、
該排水トラップ（１９）の封水部に直通され、トラップ機能を付与される排水装置との接続箇所に用いたことを特徴とする請求項１に記載の接続構造。
【請求項４】
前記接続構造において、前記係合部（１１）及び被係合部（１４）の接続位置あわせ及び中心軸同士の傾斜を防ぐ為のガイド部及（１５）び被ガイド部（１６）を、適宜係合部（１１）と被係合部（１４）のそれぞれに設けたことを特徴とする請求項１乃至請求項３に記載の接続構造。
【発明の詳細な説明】
【０００１】
【発明の属する技術分野】
本発明は、例えば浴槽などの排水トラップに対する排水管の取付け、取外しを極めて簡便容易に、ワンタッチ操作により行ない得るように構成した接続構造の改良に関し、特に配管スペースが狭い箇所に特に有用に用いられる接続構造に関する。
【０００２】
【従来の技術】
従来から、図７に示したような管体の接続構造が周知である。
以下に、この管体の接続構造を説明する。
該接続構造は、係合部、被係合部、オス管体、メス管体から構成される。
係合部は、前記被係合部と係合接続される部材であって、後記する接続管、スライド管、係合爪、弾性体から構成されて成る。
接続管は、軸方向視正円筒状であって、周面に外向きフランジ及び複数の開口部を設けて成り、後記する被係合部が内部に挿入される。
スライド管は、軸方向視正円筒形状であって、前記接続管外周に軸方向スライド可能に装着され、内周面に内向きフランジを備えて成る。
係合爪は可撓性を備えた支軸及び支軸の先端に膨出されて設けられた先端係合部から成り、この従来例においては、複数本が備えられてなる。更に該係合爪は接続管の外側とスライド管の内側となる位置であると同時に、先端係合部が前記開口部に対応する位置のスライド管に常に開口部側に付勢されるように設けられ、先端係合部は常に開口部を介して接続管内側面に突出するように配置されて成る。
弾性体は、金属のスプリング体から成り、前記接続本管の外向きフランジとスライド管の内向きフランジの間に圧入され、常に接続管とスライド管とを互いに離間する方向へと付勢して成る。
被係合部は、係合部と係合される部材であり、前記係合部よりも若干小径な軸方向視正円筒形状であるとともに、外周面には、前記係合爪が係合されるように周刻された溝部と、管体内の水密化を行うためのシール部材としてＯリングを備えて成る。
メス管体は、内部が中空の軸方向視正円形状の管体であって、例えば排水などの流体が流れるもので、端部に前記係合部を連結してなる。
オス管体は、内部が中空の軸方向視正円形状の管体であって、端部に前記メス管体の係合部と係合し、メス管体内に嵌挿される前記被係合部を備えて成る。
【０００３】
前記した従来の接続構造の使用法を以下に記載する。
まず、メス管体に係合部、オス管体に被係合部をそれぞれ連結する。まだ接続作業を行っていないときの各部の状態としては、係合部のスライド管はスプリングの付勢によって反メス管体側に常に位置している。このとき、スライド管内側と接続管外側に位置している係合爪の先端係合部は開口部側に常に付勢されているので開口部を介して接続管内部に突出した状態となっている。
この状態から、係合部内に係合部より若干小径な形状となっている被係合部を挿入すると、係合爪の先端係合部に被係合部の先端が当接しながら進入する。このとき、係合爪の支軸が開口部内で彎曲するので、係合爪の先端係合部が開口部内に収納され、被係合部は係合爪と当接しつつ接続管の奥へ挿入することが出来る。
そして、被係合部の溝部が係合爪の先端係合部の箇所に位置されたときに、溝部の空間分だけ係合爪の先端係合部が、彎曲されていた支軸の復元力によって反発復元し、開口部を介して溝部内に先端係合部が位置される。このようにして係合爪の先端係合部が被係合部の溝部に係合されることで係合部と被係合部の接続が完了する。
また、この接続を解除する際には、スライド管をメス管体側へスライドさせて、溝部と係合爪の当接を解除すると、係合爪は常に開口部側へ付勢されているため、被係合部の溝部をのりこえて先端係合部が開口部とは反した方向へと移動し、被係合部の溝部と係合爪の先端係合部との係合が解除される。その状態のままオス管体を後退させると、係合部と被係合部の接続は簡単に解除される。
このようにすることで、管同士の接続及び解除を、ワンタッチ且つ簡単に行うことが出来る。
（特許文献１等）
【０００４】
また、従来から図８に示したような防水パンを用いた浴室の床下空間に配置される、封水部を有した排水トラップと、該排水トラップの封水部に連通され、トラップ機能を付与される排水装置の配管構造が周知である。
以下に、この配管構造を説明する。
図８及び図９に示した配管構造は、以下に記載した排水トラップ、防臭筒部材、及び排水装置としての排水エルボより構成されてなる。
排水トラップは、上方に開口した有底筒状の防臭椀と、該防臭椀の開口を囲むように設けられ（ここで言う「囲むように設ける」とは、防臭椀の開口からのオーバーフロー水を、外側に漏らさないような状態に設けることを意味する）、且つ内部に排水流路を形成する外壁と、該外壁の側面に設けられた、排水を排水流路から下水側に排出する排出口と、防臭椀の側面に設けられ、防臭椀内に排水を流入するオス管体と、から成る。
また、防臭筒部材は、上下に開口した筒体からなり、前記開口に取り付けられて筒体の下方が排水トラップの防臭椀内に配置されることで封水部を形成する。
また、排水エルボは、排水が流入する流入口を設けたエルボ本体部と、排水トラップのオス管体と接続して、枝管配管部を形成するメス管体と、から成る。
更に本従来例の配管構造は、枝管配管部全体を、軸方向視が横方向に広い楕円形状として構成している。
【０００５】
前記のように構成した排水トラップと排水エルボを、図８にあるような防水パンに取着する場合、まず排水トラップのオス管体に、排水エルボのメス管体を接着剤で水密的に接着接続して枝管配管部を形成する。
次に、防水パン等に設けたトラップ取着孔に、排水トラップをフランジ部材などでトラップ取着孔の周縁を挟着するように取着する。また、同じくフランジ部材などを用いて、防水パン等に設けたエルボ取着孔に、排水エルボの流入口を、該エルボ取着孔の周縁を挟着するよう取着する。
更に、防臭筒部材を、筒体の下端が排水トラップ内に配置されるように取り付けて排水トラップの取付が完了する。
その後、排出口に、排水トラップの排水が下水側に排出できるように傾斜を設定した管材を接続し下水側の管材に接続する。
このように、排水エルボを排水トラップの封水部に接続することで、排水エルボにもトラップ機能を付加することが出来る。
更に本従来例では、枝管配管部の軸方向視横幅が縦幅よりも広い楕円形状としているため、枝管配管部の上端を防臭筒部材の下端よりも高い位置とすることなく、且つ枝管配管部の排水流量の多い配管構造とすることが出来る。
（特許文献２等）
【０００６】
【特許文献１】
実開平４−４１５７２号公報（第１図乃至第５図）
【特許文献２】
特開２００１−９８６０３号公報（第５図乃至第６図）
【０００７】
【発明が解決しようとする課題】
近年、前記段落０００４から段落０００５に記載した、浴室の床下配管などに代表されるように、排水エルボからの排水性能を向上させることや、床下配管の高さ方向のスペースを低くして浴槽の跨ぎ込み高さを低くすることを達成するために、床下配管の枝管配管部を軸方向視楕円や長方形、扁平形状に構成することが主流となっている。
ところが、枝管配管部の形状が軸方向視楕円や長方形、扁平形状となっているため、この枝管配管部の接続方法には、ねじによる螺合では接続することが出来ず、接着剤などの接着方法によって、前記枝管配管部の接続を行っていた。
【０００８】
しかし、接着剤による接続方法では塗布不良による水漏れが発生しやすく、確実な漏水防止を行う為には、作業者には熟練が求められる。
また、仮に前記段落０００４から段落０００５記載の浴室の枝管配管部に、前記段落０００２から段落０００３に記載の接続構造を用いた場合、接続は簡単となるが、軸方向視正円形状の接続構造のため、通水面積を広くするためには上下方向に幅広にしなければ成らず、枝管配管部の上面最下端が、防臭筒部材の下端よりも高くなってしまい、排水エルボ側の封水深が排水トラップ側の封水深よりも浅くなってしまう、といった問題が発生していた。
【０００９】
よって、本発明は、
１．熟練した作業者でなくとも容易且つ確実に接続作業ができる。
２．現場施工ができる。
３．近年の、浴室の床下配管などにおける、排水トラップと排水エルボの、軸方向視楕円や長方形または扁平形状の枝管配管部の接続にも対応することが出来、狭い配管スペースを有効に活用できる。
４．近年の、浴室の床下配管などにおける、排水トラップと排水エルボの、軸方向視楕円や長方形または扁平形状の枝管配管部において、排水トラップの封水部を確保できる。
５．近年の、浴室の床下配管などにおける、排水トラップと排水エルボの、軸方向視楕円や長方形または扁平形状の枝管配管部において、排水流量を確保することが出来る。
といった目的を達成すべく研究・開発されたものである。
【００１０】
【課題を解決するための手段】
本発明の接続構造は、周面に外向きフランジ（２）及び複数の開口部（３）を設けた接続管（１）、前記接続管（１）外周にスライド可能に装着され、内周面に内向きフランジ（５）及び突起部（６）を備えたスライド管（４）、前記接続管（１）の外側と前記スライド管（４）の内側に配置されるとともに、可撓性を備えた支軸（８）及び支軸（８）の先端に膨出されて設けられた先端係合部（９）から成り、且つ先端係合部（９）が前記開口部（３）に対応する位置であって、常に反開口部（３）側に付勢され、先端係合部（９）が前記スライド管（４）の突起部（６）に当接された際は開口部（３）を介して接続管（１）内側面に突出する係合爪（７）、前記接続管（１）の外向きフランジ（２）とスライド管（４）の内向きフランジ（５）との間に圧入され、常に突起部（６）が先端係合部（９）に当接する方向に接続管（１）とスライド管（４）を付勢する弾性体、から成る係合部（１１）と、外周面に周刻された溝部（１２）、外周面に装着されたシール部材、から成る被係合部（１４）と、から構成される管体の接続構造において、係合部（１１）及び被係合部（１４）及び接続される管体が軸方向視において正円形状以外の形状であることを特徴とする接続構造である。
【００１１】
本発明の接続構造は、前記接続構造を、床下空間に配置される、封水部を有した排水トラップ（１９）と、該排水トラップ（１９）の封水部に連通され、トラップ機能を付与される排水装置との接続箇所に用いたことを特徴とする前記段落００１０に記載の接続構造である。
【００１２】
本発明の接続構造は、前記接続構造を、キャビネット空間に配置される、封水部を有した排水トラップ（１９）と、該排水トラップ（１９）の封水部に直通され、トラップ機能を付与される排水装置との接続箇所に用いたことを特徴とする前記段落００１０に記載の接続構造である。
【００１３】
本発明の接続構造は、前記接続構造において、前記係合部（１１）及び被係合部（１４）の接続位置あわせ及び中心軸同士の傾斜を防ぐ為のガイド部及（１５）び被ガイド部（１６）を、適宜係合部（１１）と被係合部（１４）のそれぞれに設けたことを特徴とする前記段落００１０乃至前記段落００１２に記載の接続構造である。
【００１４】
【発明の実施の形態】
以下に、図面に基づいて、本発明の接続構造を詳細に説明する。
本発明の接続構造は、図２乃至図５に示したように、係合部（１１）、被係合部（１４）、オス管体（１７）、メス管体（１８）から構成される。
係合部（１１）は、被係合部（１４）と係合接続される部材であって、後記する接続管（１）、スライド管（４）、係合爪（７）、弾性体から構成されて成る。
接続管（１）は、軸方向視略長方形形状であって周面に外向きフランジ（２）及び複数の開口部（３）を設けて成り、後記する被係合部（１４）が内部に挿入される。また、内周面には凸状且つ三角形状に構成されたガイド部（１５）が構成される。
スライド管（４）は、軸方向視略長方形形状であって、前記接続管（１）外周に軸方向スライド可能に装着され、内周面に内向きフランジ（５）と突起部（６）を備えて成る。
係合爪（７）は、可撓性を備えた支軸（８）及び支軸（８）の先端に膨出されて設けられた先端係合部（９）から成り、この実施例においては、複数本が備えられてなる。更に接続管（１）の外側とスライド管（４）の内側となる位置且つ先端係合部（９）が前記開口部（３）に対応する位置の接続管（１）に回動自在且つ常に反開口部（３）側に付勢されるように取り付けられ、先端係合部（９）が前記スライド管（４）の突起部（６）に当接された際は開口部（３）を介して接続管（１）内側面に突出するように配置されて成る。
弾性体は、金属のスプリング（１０）であって、前記接続管（１）の外向きフランジ（２）とスライド管（４）の内向きフランジ（５）の間に圧入され、常にスライド管（４）の突起部（６）と係合爪（７）の先端係合部（９）が当接するように接続管（１）とスライド管（４）とを付勢して成る。
被係合部（１４）は、係合部（１１）と係合される部材であり、軸方向視前記係合部（１１）よりも若干小径な略長方形形状であるとともに、外周面には、前記係合爪（７）が係合されるように周刻された溝部（１２）と、管体内の水密化を行うためのシール部材としてＯリング（１３）を備えて成る。また、内周面には、その内部に前記係合部（１１）のガイド部（１５）が挿嵌される、被ガイド部（１６）が凹設されている。
メス管体（１８）は、内部が中空の軸方向視略長方形形状の管体であって、端部に前記係合部（１１）を連結してなる。
オス管体（１７）は、内部が中空の軸方向視略長方形形状の管体であって、端部に前記メス管体（１８）の係合部（１１）と係合し、メス管体（１８）内に嵌挿される前記被係合部（１４）を備えて成る。
【００１５】
前記した接続構造の使用法を以下に記載する。
まず、メス管体（１８）に係合部（１１）、オス管体（１７）に被係合部（１４）をそれぞれ連結する。まだ接続作業を行っていないときの各部の状態としては、図２に示したように、係合部（１１）のスライド管（４）はスプリング（１０）の付勢によって反メス管体（１８）側に常に位置している。このとき、スライド管（４）内側と接続管（１）外側に位置している係合爪（７）の先端係合部（９）がスライド管（４）内側の突起部（６）に当接し、接続管（１）の開口部（３）を介して接続管（１）内部に突出した状態となっている。
そして係合部（１１）内に係合部（１１）より若干小径な形状となっている被係合部（１４）を挿入すると、図３に示したように、係合爪（７）の先端係合部（９）に、被係合部（１４）の先端が当接しながら進入する。このとき、係合爪（７）の支軸（８）が自身の可撓性により彎曲するので、係合爪（７）の先端係合部（９）がスライド管（４）の内側と接続管（１）の外側内に収納され、被係合部（１４）は係合爪（７）と当接しつつ接続管（１）の奥へ挿入することが出来る。
また、係合部（１１）には凸状のガイド部（１５）、被係合部（１４）にはこのガイド部（１５）を嵌挿するために凹設された被ガイド部（１６）が設けられている。係合部（１１）と被係合部（１４）は、軸方向視略長方形形状のため、挿入時両者の中心軸が一致せずに傾斜した状態で挿入されてしまうことが有り、接続不良の原因となってしまうことがあるが、このガイド部（１５）と被ガイド部（１６）を設けたことで、係合部（１１）と被係合部（１４）の中心軸が傾斜した状態となることなく、正確且つ容易に挿入することができる。
そして、被係合部（１４）の溝部（１２）が係合爪（７）の先端係合部（９）の箇所に位置されたときに、溝部（１２）の空間分だけ係合爪（７）の先端係合部（９）が、彎曲されていた支軸（８）自身の復元力によって反発復元し、開口部（３）内及び溝部（１２）内に先端係合部（９）が位置される。このとき、係合爪（７）の先端係合部（９）が被係合部（１４）の溝部（１２）に係合されることで図４に示したように接続が完了する。
また、この接続を解除する際には、図５に示したように、スライド管（４）をメス管体（１８）側へスライドさせて、突起部（６）と係合爪（７）の当接を解除すると、係合爪（７）は常に反開口部（３）側へ付勢されているので、先端係合部（９）がその付勢力によって開口部（３）とは反した方向へと移動し、被係合部（１４）の溝部（１２）と係合爪（７）の先端係合部（９）との係合が解除される。その状態のままオス管体（１７）を後退させると、係合部（１１）と被係合部（１４）の接続は簡単に解除される。
【００１６】
次に、図１に示したような防水パン（２８）を用いた浴室の床下空間に配置される、排水トラップ（１９）と、該排水トラップ（１９）の封水部に連通され、トラップ機能を付与される排水装置の配管構造を詳細に説明する。
以下に、この配管構造を図面を参照しつつ説明する。
図１に示した配管構造は、以下に記載した排水トラップ（１９）、防臭筒部材（２０）、及び排水装置としての排水エルボ（２４）より構成されてなる。
排水トラップ（１９）は、上方に開口した有底筒状の防臭椀（２１）と、該防臭椀（２１）の開口を囲むように設けられ（ここで言う「囲むように設ける」とは、防臭椀（２１）の開口からのオーバーフロー水を、外側に漏らさないような状態に設けることを意味する）、且つ内部に排水流路を形成する外壁（２２）と、該外壁（２２）の側面に設けられた、排水を排水流路から下水側に排出する排出口（２３）と、防臭椀（２１）の側面に設けられ、防臭椀（２１）内に排水を流入する、軸方向視略長方形形状のオス管体（１７）と、から成る。
また、防臭筒部材（２０）は、上下に開口した筒体からなり、前記開口に取り付けられて筒体の下方が排水トラップ（１９）の防臭椀（２１）内に配置されて封水部を形成する。
また、排水エルボ（２４）は、排水が流入する流入口（２６）を設けたエルボ本体部（２５）と、排水トラップ（１９）のオス管体（１７）と接続して、枝管配管部（２７）を形成する、軸方向視略長方形形状のメス管体（１８）と、から成る。
また、更に本実施例の配管構造は、図６に示したように、枝管配管部（２７）全体を、軸方向視が横方向に広い略長方形形状として構成している。
【００１７】
前記のように構成した排水トラップ（１９）を、図１にあるような防水パン（２８）に取着する場合、まず排水トラップ（１９）のオス管体（１７）に、前記段落００１４乃至段落００１５に記載した接続構造の被係合部（１４）を、次に排水エルボ（２４）のメス管体（１８）に、前記段落００１４乃至段落００１５に記載した係合部（１１）を、それぞれ連結する。さらに、メス管体（１８）の係合部（１１）にオス管体（１７）の被係合部（１４）を嵌挿すると、接続構造が前記段落００１５に記載したような作用によって水密的に接続し、枝管配管部（２７）を形成する。
その後、施工現場において、防水パン（２８）等に設けたトラップ取着孔に、排水トラップ（１９）をフランジ部材などでトラップ取着孔の周縁を挟着するように取着する。また、同様のフランジ部材などを用いて、防水パン（２８）等に設けたエルボ取着孔に、排水エルボ（２４）の流入口（２６）を、該エルボ取着孔の周縁を挟着するよう取着する。更に、防臭筒部材（２０）を、筒体の下端が排水トラップ（１９）内に配置されるように取り付けて排水トラップ（１９）の取付が完了する。その後、排出口（２３）に、排水トラップ（１９）の排水が下水側に排出できるように傾斜を設定した管材を接続し下水側の管材に接続する。
このようにすることで、排水トラップ（１９）の上下方向の幅を従来通りのまま、排水エルボ（２４）の封水深を排水トラップ（１９）の封水深と同等とでき、より防臭・防虫機能の優れた配管構造を提供することができる。また各種の工業規格等で必要としている封水深を容易に達成することができる。さらには枝管配管部（２７）を軸方向視略長方形形状に構成したため、排水エルボ（２４）からの排水性能を向上することができ、床下配管の高さ方向のスペースを低くすることが出来る。このことにより、床下空間の高さ幅を低くすることができる。このため、全体の高さが決まっている高層住宅において、各階層ごとの高さを低くでき、全体としての高を低くできるため、その分階層を増やすことができる。また、防水パン（２８）下に排水トラップ（１９）や排水エルボ（２４）を配管したことによって、浴槽の跨ぎ込み高さを低くすることが可能となる。
【００１８】
本発明の実施例は上記のようであるが、本発明は上記実施例に限定されるものではなく、発明の要旨を変更しない範囲で自由に変更することが可能である。例えば、前記実施例では、浴室の床下配管構造に、本発明の接続構造が用いられているが、本発明の使用箇所は特に浴室の床下空間のみに限定されるものではなく、浴室以外の室内における床下配管や、或いは洗面台のキャビネット空間における配管など、配管空間がなるべく上下方向に幅狭であることが求められる配管スペースに利用することで、良好な結果を得る事ができる。
【００１９】
また、前記実施例では、接続構造の係合部（１１）及び被係合部（１４）及び管体の軸方向視が略長方形形状であるが、それ以外の形状、例えば楕円や扁平形状など、軸方向視において正円形状以外の形状であっても特に問題はない。
【００２０】
また、前記実施例では、係合部（１１）にガイド部（１５）、被係合部（１４）に被ガイド部（１６）を備えているが、例えば係合部（１１）に被ガイド部（１６）、被係合部（１４）にガイド部（１５）を備えても、なんら問題はない。
【００２１】
また、前記実施例では、ガイド部（１５）が三角形状の凸状、被ガイド部（１６）が凹状として構成されているが、管体同士の接続位置あわせが達成できる形状で有ればその形状を問わない。
【００２２】
【発明の効果】
本発明の接続構造は以下の効果を奏する。
１．本発明の接続構造は、熟練でない作業者であっても、また特に治具などが無くても、確実な接続を行うことができる。この点は、特に現場で施工を行うときに有効に作用する。
２．本発明の接続構造は、係合部及び被係合部を軸方向視において正円形状以外の形状としたので、浴室の床下配管などにおいて、封水深を確保しつつ、且つ排水流量を確保出来るよう、断面視楕円や長方形形状または扁平形状などの枝管配管部の接続に対応することが出来る。
３．本発明の接続構造は、係合部及び被係合部を軸方向視において正円形状以外の形状としたので、床下配管の高さ方向スペースを従来以上、もしくは従来と変わらない床下配管の高さ方向スペースとすることが出来る。
４．本発明の接続構造は、係合部、被係合部のそれぞれ対応する箇所にガイド部及び被ガイド部を設けたため、係合部と被係合部の中心軸が傾斜した状態となることなく、正確且つ容易に挿入することができる。
【図面の簡単な説明】
【図１】本発明の実施例における断面図である。
【図２】本発明の実施例におけるオス管体をメス管体に接続前を示すＡ部詳細断面図である。
【図３】本発明の実施例におけるオス管体とメス管体の接続途中時を示すＡ部詳細断面図である。
【図４】本発明の実施例におけるオス管体とメス管体の接続完了時を示すＡ部詳細断面図である。
【図５】本発明の実施例におけるオス管体とメス管体の接続解除時を示すＡ部詳細断面図である。
【図６】図１におけるａ−ａ’断面図である。
【図７】従来例の接続構造を示す断面図である。
【図８】従来例の配管構造を示す断面図である。
【図９】従来例の配管構造を示す斜視図である。
【符号の説明】
１    接続管                    ２    外向きフランジ
３    開口部                    ４    スライド管
５    内向きフランジ            ６    突起部
７    係合爪                    ８    支軸
９    先端係合部              １０  スプリング
１１  係合部                  １２  溝部
１３  Ｏリング                １４  被係合部
１５  ガイド部                １６  彼ガイド部
１７  オス管体                １８  メス管体
１９  排水トラップ            ２０  防臭筒部材
２１  防臭椀                  ２２  外壁
２３  排出口                  ２４  排水エルボ
２５  エルボ本体部            ２６  流入口
２７  枝管配管部              ２８  防水パン
【図１】
2004225243.tif 000003
【図２】
2004225243.tif 000004
【図３】
2004225243.tif 000005
【図４】
2004225243.tif 000006
【図５】
2004225243.tif 000007
【図６】
2004225243.tif 000008
【図７】
2004225243.tif 000009
【図８】
2004225243.tif 000010
【図９】
2004225243.tif 000011